(57)【特許請求の範囲】
【請求項１】
上面に平型導体の挿入口が開口する嵌合室を有しており、底面側が基板に設置されるハウジングと、
前記基板に向けて挿入することで嵌合する前記平型導体を前記嵌合室に対して抜け止めするロックばねとを備えるコネクタにおいて、
前記基板に向けた押圧操作により変位するロック解除部材を備えており、
前記ロックばねは、
前記ハウジングに対する固定部と、
前記平型導体に設けた貫通形状のロック部と係止する係止片と、
前記嵌合室の外方で前記ロック解除部材と摺動接触する摺動接触部と、
前記基板の側で前記固定部に繋がって前記上面の側で前記摺動接触部に繋がって設けられる弾性腕とを有し、
前記摺動接触部は、前記基板に向けた前記押圧操作により変位する前記ロック解除部材に対して斜めに摺動接触して、前記基板の側の前記固定部を回動支点として前記上面の側の前記弾性腕を前記押圧操作に対して交差する方向へ回動させるとともに前記ロック部から前記係止片を抜去させることを特徴とするコネクタ。
【請求項２】
上面に平型導体の挿入口が開口する嵌合室を有しており、下側が基板に設置されるハウジングと、
前記嵌合室に対して前記平型導体を抜け止めするロックばねとを備えるコネクタにおいて、
前記基板に向けた押圧操作により変位するロック解除部材を備えており、
前記ロックばねは、
前記ハウジングに対する固定部と、
前記固定部を回動支点として前記平型導体から離間する方向へ回動変位する弾性腕と、
前記平型導体に設けた貫通形状のロック部と係止する係止片と、
押圧操作により変位する前記ロック解除部材に対して斜めに摺動接触して、前記固定部を回動支点として前記弾性腕を前記離間する方向へ回動させるとともに前記ロック部から前記係止片を抜去させる摺動接触部とを有し、
前記ハウジングが、前記ハウジングの外面に開口しており前記ハウジングの外方に変位可能に前記ロックばねを収容する溝部を有することを特徴とするコネクタ。
【請求項３】
上面に平型導体の挿入口が開口する嵌合室を有しており、下側が基板に設置されるハウジングと、
前記嵌合室に対して前記平型導体を抜け止めするロックばねとを備えるコネクタにおいて、
前記基板に向けた押圧操作により変位するロック解除部材を備えており、
前記ロックばねは、
前記ハウジングに対する固定部と、
前記固定部を回動支点として前記平型導体から離間する方向へ回動変位する弾性腕と、
前記平型導体に設けた貫通形状のロック部と係止する係止片と、
押圧操作により変位する前記ロック解除部材に対して斜めに摺動接触して、前記固定部を回動支点として前記弾性腕を前記離間する方向へ回動させるとともに前記ロック部から前記係止片を抜去させる摺動接触部とを有し、
前記ロック解除部材が、前記弾性腕の上端側を挿通する挿通部を有しており、
前記係止片が前記ロック部から抜去する位置まで前記ロック解除部材が押圧操作により変位すると、当該挿通部から前記弾性腕の上端が突出するようになっていることを特徴とするコネクタ。
【請求項４】
前記ロックばねが平板形状である請求項１〜請求項３何れか１項記載のコネクタ。
【請求項５】
前記ハウジングが前記挿入口の幅方向における両端側に複数の前記ロックばねを備える請求項１〜請求項４何れか１項記載のコネクタ。
【請求項６】
前記摺動接触部が、前記弾性腕の先端側から斜めに突出する突出片に形成した斜縁である請求項１〜請求項５何れか１項記載のコネクタ。
【請求項７】
前記係止片が、前記斜縁の下端側から前記嵌合室に向けて突出する請求項６記載のコネクタ。
【請求項８】
前記ロック解除部材が、前記挿入口が開口する前記ハウジングの前記上面側に押圧操作面を有する請求項１〜請求項７何れか１項記載のコネクタ。
【請求項９】
前記押圧操作面が、前記ハウジングの前記上面よりも上方に位置する請求項８記載のコネクタ。
【請求項１０】
前記押圧操作面が、前記ハウジングの前記上面の長手方向における両端側に位置する請求項８又は請求項９記載のコネクタ。
【請求項１１】
前記押圧操作面が、前記ハウジングの前記上面の長手方向における両端の側方に突出して位置する請求項８〜請求項１０何れか１項記載のコネクタ。
【請求項１２】
前記押圧操作面が、平坦面である請求項８〜請求項１１何れか１項記載のコネクタ。
【請求項１３】
前記ロック解除部材が、前記ハウジングの前記上面の長手方向における一方側に位置する第１の押圧操作面と、他方側に位置する第２の押圧操作面と、前記ハウジングの前記上面の長手方向に沿って前記第１及び前記第２の押圧操作面に掛け渡す連結部と、を有する請求項１〜請求項１２何れか１項記載のコネクタ。
【請求項１４】
一対の前記ロックばねが、複数配列されて前記平型導体と導通接触する端子の両端側に配置される請求項１〜請求項１３何れか１項記載のコネクタ。
【発明の詳細な説明】
【技術分野】
【０００１】
本発明は、平型導体と基板とを導通接続するコネクタに関する。
【背景技術】
【０００２】
従来、電子機器に使用されるコネクタとしては、基板に実装されて、ＦＰＣ（Ｆｌｅｘｉｂｌｅ  ｐｒｉｎｔｅｄ  ｃｉｒｃｕｉｔｓ）やＦＦＣ（Ｆｌｅｘｉｂｌｅ  ｆｌａｔ  ｃａｂｌｅ）等（本明細書及び特許請求の範囲において「平型導体」と称する。）と基板とを導通接続させるものが使用されている。これらのコネクタは、コンピュータや液晶ディスプレイなどの機器内ユニットと基板間とを様々な形態で接続できることから、多くの電子機器に搭載されている。
【０００３】
こうしたコネクタとしては、平型導体が側縁に備える凹部に係止する係止部を有するロック部材を備えるものがある。平型導体と端子とが導通接続している状態で、平型導体の凹部に係止部が係止することで、平型導体がコネクタに対して固定される。このコネクタから平型導体を引き抜く際には、あらかじめロック部材の操作部を押圧操作することで、前記係止部を前記の凹部から外し、その状態で平型導体をコネクタから引っ張ることで、平型導体をコネクタから容易に引き抜くことができる（例として特許文献１）。
【先行技術文献】
【特許文献】
【０００４】
【特許文献１】特開２０１２−５９５３５号公報
【発明の概要】
【発明が解決しようとする課題】
【０００５】
上記のようなロック部材の係止部は操作部に連結しており、操作部の押圧方向と同じ方向に変位する。従って、係止部を平型導体の凹部から外すためには、操作部を押圧して、係止部を平型導体から離間する方向に大きく変位させる必要がある。よって、基板の板面に対して直交する方向でコネクタに平型導体を挿入する場合には、コネクタの周囲に操作部が変位するための広い空間が必要となるという課題がある。
【０００６】
以上のような従来技術を背景になされたのが本発明であり、その目的は、コネクタの周辺に広い空間がない場合であってもロック部材による平型導体の係止を解除する操作を容易に行えるコネクタを提供することにある。
【課題を解決するための手段】
【０００７】
上記目的を達成すべく、本発明は以下のように構成される。
本発明は、上面に平型導体の挿入口が開口する嵌合室を有しており、下側が基板に設置されるハウジングと、前記嵌合室に対して平型導体を抜け止めするロックばねとを備えるコネクタについて、前記基板に向けた押圧操作により変位するロック解除部材を備えており、前記ロックばねは、ハウジングに対する固定部と、固定部を回動支点として平型導体から離間する方向へ回動変位する弾性腕と、平型導体に設けた貫通形状のロック部と係止する係止片と、押圧操作により変位するロック解除部材に対して斜めに摺動接触して、前記固定部を回動支点として前記弾性腕を前記離間する方向へ回動させるとともにロック部から係止片を抜去させる摺動接触部を有することを特徴とするコネクタを提供する。
【０００８】
本発明によれば、基板に向けた押圧操作により変位するロック解除部材を押圧することで、平型導体のロック部から係止片を抜去させ、係止を解除することができる。よって、例えばコネクタの周辺に実装部品が密集しており、平型導体から離間する方向にロック解除部材を押圧して変位させる空間が無い場合であっても、平型導体に対する係止を容易に解除することができる。また、基板に向けた押圧操作は作業者にとって感覚的に可能であるため、容易に作業を行うことができる。
【０００９】
前記本発明のハウジングが、ハウジングの外面に開口しておりハウジングの外方に変位可能にロックばねを収容する溝部を有するものとすることができる。
【００１０】
ハウジングが、ハウジングの外面に開口しておりハウジングの外方に変位可能にロックばねを収容する溝部を有するため、変位するロックばねをハウジングの溝部から外部に向けて変位させることができる。したがって、ハウジングの内部にロックばねを変位させる空間を確保する必要がないことから、ハウジングを小型化することができる。
【００１１】
前記本発明のロックばねが平板形状であるものとすることができる。
【００１２】
ロックばねが平板形状であるため、ハウジングの幅方向で小型化することができる。このような平板形状のロックばねは、いわゆる平板状の金属板を打ち抜いてなる抜き端子として構成することができる。
【００１３】
前記本発明のハウジングが前記挿入口の幅方向における両端側に複数のロックばねを備えるものとすることができる。
【００１４】
ハウジングが複数のロックばねを備えるので、平型導体に対して複数個所で確実に抜け止めすることができる。
【００１５】
前記本発明の摺動接触部が、弾性腕の先端側から斜めに突出する突出片に形成した斜縁であるものとすることができる。
【００１６】
摺動接触部が弾性腕の先端側から斜めに突出する突出片に形成した斜縁であるため、ロック解除部材に加える押圧操作力を、斜縁に対して斜めに摺動接触させて弾性腕を回動させる回転変位力へと、スムーズに転換することができる。
【００１７】
前記本発明の係止片が、前記斜縁の下端側から前記嵌合室に向けて突出するものとすることができる。
【００１８】
係止片が、斜縁の下端側から前記嵌合室に向けて突出するため、係止片が弾性腕の回転と確実に連動するため、係止片をロック部から確実に抜去することができる
【００１９】
前記本発明のロック解除部材が、前記挿入口が開口するハウジングの上面側に押圧操作面を有するものとすることができる。
【００２０】
ロック解除部材が、ハウジングの上面側に押圧操作面を有するので、ハウジングの上方から押圧操作面を押し下げることができるので、押圧操作を容易に行うことができる。
【００２１】
前記本発明の押圧操作面が、ハウジングの上面よりも上方に位置するものとすることができる。
【００２２】
押圧操作面がハウジングの上面より上方に位置するので、押圧操作する指を押圧操作面に対して接触し易くすることができ、押圧操作を確実に行うことができる。
【００２３】
前記本発明の押圧操作面が、ハウジングの上面の長手方向における両端側に位置するものとすることができる。
【００２４】
押圧操作面がハウジングの上面の長手方向における両端側に位置するので、その複数の押圧操作面を操作することで、押圧操作を確実に行うことができる。
【００２５】
前記本発明の押圧操作面が、ハウジングの上面の長手方向における両端の側方に突出して位置するものとすることができる。
【００２６】
押圧操作面が、ハウジングの上面の側方に突出して位置するので、押圧操作する指をハウジングの上面とできるだけ干渉させずに押圧操作面に対して接触し易くすることができ、押圧操作を確実に行うことができる。
【００２７】
前記本発明の押圧操作面が、平坦面であるものとすることができる。
【００２８】
自動実装において平坦面の押圧操作面を吸着箇所として吸着して自動実装することが可能となる。
【００２９】
前記本発明のロック解除部材が、ハウジングの上面の長手方向における一方側に位置する第１の押圧操作面と、他方側に位置する第２の押圧操作面と、ハウジングの上面の長手方向に沿って第１及び第２の押圧操作面に掛け渡す連結部と、を有するものとすることができる。
【００３０】
ロック解除部材が、第１及び第２の押圧操作面が連結部を介して繋がる一体形状であるため、一つのロック解除部材への押圧操作によって平型導体に対するロックばねの抜け止めを解除することが可能であり、解除操作を容易に行うことができる。
【００３１】
前記本発明のロック解除部材が、弾性腕の上端側を挿通する挿通部を有しており、係止片がロック部から抜去する位置までロック解除部材が押圧操作により変位すると、当該挿通部から弾性腕の上端が突出するようになっているものとすることができる。
【００３２】
本発明では、弾性腕の上端が挿通部から突出していることで、係止片がロック部から抜去していることを確認することができるため、それを目視することで平型導体を適切に抜き取ることができる。
【００３３】
前記本発明の一対のロックばねが、複数配列されて平型導体と導通接触する端子の両端側に配置されるものとすることができる。
【００３４】
こうすることで、ロックばねの間に配置される端子の数が変更された場合であっても、ロックばねの形状を変更することなく容易に対応することができる。
【発明の効果】
【００３５】
本発明によれば、平型導体に対するロック部材の係止を容易に解除できるコネクタを提供することができる。これにより、例えば実装部品が密集している位置にコネクタが実装されていても容易に平型導体に対する解除を行うことができる。
【図面の簡単な説明】
【００３６】
【図１】一実施形態によるコネクタの正面、右側面、平面を示す斜視図。
【図２】図１のコネクタの背面、左側面、平面を示す斜視図。
【図３】図１のコネクタの正面図。
【図４】図１のコネクタの背面図。
【図５】図１のコネクタの平面図。
【図６】図１のコネクタの底面図。
【図７】図１のコネクタの右側面図。
【図８】図１のコネクタが備えるハウジングの正面、右側面、平面を示す斜視図。
【図９】図８のハウジングの背面、左側面、平面を示す斜視図。
【図１０】図１のコネクタが備える端子の正面、右側面、平面を示す斜視図。
【図１１】図１のコネクタが備えるロック解除部材の正面、右側面、平面を示す斜視図。
【図１２】図１１のロック解除部材の背面、左側面、平面を示す斜視図。
【図１３】図１のコネクタのロック部材の背面、右側面、平面を示す斜視図。
【図１４】図１のコネクタと導通接続する平型導体の平面図。
【図１５】図１のコネクタと平型導体との嵌合前の状態を示す断面図。
【図１６】図１５の平型導体をコネクタの嵌合室に挿入し、ロック部材により抜け止めした状態を示す断面図。
【図１７】図１６の状態で、端子が平型導体と導通接触している状態を示す断面図。
【図１８】図１６の状態からロック解除部材の押圧操作部材が押圧された状態を示す断面図。
【図１９】図１８の状態からさらにロック解除部材の押圧操作部材が押圧されて、ロック部材による抜け止めが解除された状態を示す断面図。
【発明を実施するための形態】
【００３７】
以下、本発明のコネクタの好適な実施形態を図面を参照しつつ説明する。以下の実施形態で示すコネクタ１は、基板２に実装されて、ＦＰＣや、ＦＦＣ等の平型導体３を基板回路に導通接続する。
【００３８】
また、本明細書中では、コネクタ１において端子５の配列方向（幅方向、長手方向）をＸ方向、前後方向（短手方向）をＹ方向、コネクタ１の高さ方向（上下方向）をＺ方向として説明する。また、コネクタ１の前後方向Ｙにおいて正面壁４ｇが設けられる側を「前側」とし、反対側を「後側」として説明する。さらに、高さ方向Ｚにおける基板２の側を「下側」とし、コネクタ１側を「上側」として説明する。しかし、これらによってコネクタ１の基板２への実装方法や使用方法を限定するものではない。なお、左側面図は右側面図とは左右対称に表されるため、記載を省略する。
【００３９】
実施形態〔図１〜図１９〕：
本実施形態におけるコネクタ１は、基板２に対して縦置きして実装された状態で平型導体３を挿入し、基板２と平型導体３とを導通接続させるコネクタである。平型導体３はコネクタ１の上面に設けられる挿入口４ａから嵌合室４ｂ内に、高さ方向Ｚに沿って上側から下側に向けて挿入される。
【００４０】
以下、本実施形態のコネクタ１の構成について詳細に説明する。コネクタ１は図１〜図７で示すように、ハウジング４と、端子５と、補強部材６と、ロックばね７と、ロック解除部材８とを備える。
【００４１】
〔ハウジング〕
ハウジング４は、絶縁性の樹脂でなり、図８，図９で示すように略直方体状に形成されている。また、ハウジング４は、正面壁４ｇと、側壁部４ｆと、平型導体３の挿入口４ａと、嵌合室４ｂと、端子収容部４ｃとを有する。
【００４２】
正面壁４ｇは、Ｘ−Ｚ平面を有する。正面壁４ｇには高さ方向Ｚに沿う細長い溝でなる「溝部」としての収容溝４ｇ１が設けられている。本実施形態では収容溝４ｇ１が幅方向Ｘにおける両端側に配置されている。収容溝４ｇ１には、ロックばね７の基端部７ｃ１と、第１の弾性腕７ｄと、第２の弾性腕７ｅとが収容されている。基端部７ｃ１と、第１の弾性腕７ｄと、第２の弾性腕７ｅとは、弾性変位する際に収容溝４ｇ１から外部に向けて変位することができる。よって、ハウジング４の内部にロックばね７の変位空間を設ける必要がないため、コネクタ１を前後方向Ｙで小型化することができる。
【００４３】
側壁部４ｆは、ハウジング４の幅方向Ｘにおける両端に１つずつ設けられる。そしてスライダー固定部４ｄと、補強部材固定部４ｄ４とを有する。
【００４４】
スライダー固定部４ｄはハウジング４の側壁部４ｆに設けられ、線状凹部４ｄ１を有する。
【００４５】
線状凹部４ｄ１は高さ方向Ｚに沿う凹状部でなる。線状凹部４ｄ１の高さ方向Ｚにおける略中央には外方に向かう突状部４ｄ３が設けられる。線状凹部４ｄ１にはロック解除部材８のスライダー部８ａが部分的に収容される。また、突状部４ｄ３にはスライダー部８ａの係止部８ａ１が引っかかることで、スライダー部８ａが線状凹部４ｄ１に対して抜け止めされる。
【００４６】
補強部材固定部４ｄ４は側壁部４ｆの下側に、スライダー固定部４ｄから幅方向Ｘで外側に向けて飛び出すように設けられている。補強部材固定部４ｄ４の幅方向Ｘにおける外側面には補強部材６が固定されている。補強部材固定部４ｄ４にはスライダー挿入孔４ｄ２が設けられており、ロック解除部材８のスライダー部８ａの先端側が挿入されている。スライダー部８ａをこうしたスライダー挿入孔４ｄ２に挿入することで、スライダー部８ａを確実にハウジング４に対して固定することができる。
【００４７】
挿入口４ａは、ハウジング４の上側に設けられる天面壁４ｅの上面に形成される。そして挿入口４ａは、ハウジング４の内部で嵌合室４ｂと連通する。
【００４８】
嵌合室４ｂは、ハウジング４の内部に設けられ、高さ方向Ｚに沿って設けられる内壁４ｂ１に囲まれて形成される。嵌合室４ｂの下側には、ロックばね固定部４ｂ２が設けられており、後述するロックばね７が固定される。
【００４９】
端子収容部４ｃは、嵌合室４ｂを形成する内壁４ｂ１にハウジング４の幅方向Ｘに沿って複数並列に配置される。端子収容部４ｃは嵌合室４ｂと連通しており、端子５は端子収容部４ｃに１つずつ収容される。
【００５０】
〔端子〕
端子５は導電性の金属板を曲げ加工することで形成されており、端子収容部４ｃに１つずつ収容された状態で、ハウジング４の幅方向Ｘに沿って複数並列に配置される。また、端子５は図１０で示すように、基板接続部５ａと、固定部５ｂと、弾性片部５ｃと、接触部５ｄとを有する。
【００５１】
基板接続部５ａは、端子５の前後方向Ｙにおける一端側に設けられている。全ての端子５は同形状でなり、端子収容部４ｃに端子５を固定した状態で全ての端子５の基板接続部５ａが正面壁４ｇの下側から突出する。また、基板接続部５ａが基板２に半田付けされることで、端子５が基板２に固定される。
【００５２】
固定部５ｂは基板接続部５ａに繋がり、ハウジング４の下側に設けられる奥壁４ｂ３を貫通しており、ここでハウジング４に対して固定される。固定部５ｂは基板接続部５ａの側から前後方向Ｙに沿って伸長し、さらに屈曲して高さ方向Ｚに沿って伸長することで、略Ｌ字状をなす。
【００５３】
弾性片部５ｃは、固定部５ｂの上端から上側に向けて、高さ方向Ｚに沿って片持ち梁状に伸長する。また、弾性片部５ｃの先端側には接触部５ｄが弾性支持されている。弾性片部５ｃは、嵌合室４ｂ内部で、固定部５ｂとの連結部分を回動支点として、コネクタ１の前後方向Ｙに沿って回動するように弾性変形する。
【００５４】
接触部５ｄは、平型導体３との接触方向に向けて山型状に屈曲し、平型導体３と導通接続する接点部５ｄ１が形成される。接点部５ｄ１は、端子収容部４ｃから嵌合室４ｂの内部に突出しており、嵌合室４ｂの内部で平型導体３と導通接触する。
【００５５】
〔補強部材〕
補強部材６は金属板を折り曲げ加工してなる。図１，図２で示すように、基板固定部６ａと、補強板６ｂとを有しており、断面略Ｌ字状でなる。補強部材６の補強板６ｂはハウジング４の側壁部４ｆの補強部材固定部４ｄ４に取り付けられて、ハウジング４を補強する。また、基板固定部６ａは基板２に対して半田付けされることで、ハウジング４を基板２に対して固定することができる。
【００５６】
〔ロックばね〕
ロックばね７は金属板を打ち抜いて設けられる平板形状でなり、Ｙ―Ｚ平面に沿う板面を有する板状片でなる。よって、幅方向Ｘに沿う板面を有する場合と比較して、コネクタ１を幅方向Ｘで小型化することができる。ロックばね７は、図１３で示すように、基板固定部７ｂと、「固定部」としてのハウジング固定部７ｃと、第１の弾性腕７ｄと、「突出片」としての第２の弾性腕７ｅと、係止片７ａと、位置決め部７ｆとを有する。
【００５７】
基板固定部７ｂは、ロックばね７の前後方向Ｙにおける前側に配置される。基板固定部７ｂは基板２に平行な板縁を有しており、基板固定部７ｂが基板２に半田付けされることで、ロックばね７が基板２に対して固定される。
【００５８】
ハウジング固定部７ｃは基板固定部７ｂに繋がる基端部７ｃ１と、基端部７ｃ１から伸長する第１の固定片部７ｃ２と、第２の固定片部７ｃ３とを有する。基端部７ｃ１は、基板固定部７ｂの後端側に繋がって高さ方向Ｚにおける上側に向けて伸長する。
【００５９】
第１の固定片部７ｃ２は、基端部７ｃ１から前後方向Ｙにおいて基板固定部７ｂが設けられる側とは反対側の、後側に向けて伸長する。第１の固定片部７ｃ２の下端には突部７ｃ４が設けられている。
【００６０】
第２の固定片部７ｃ３もまた、基端部７ｃ１から前後方向Ｙにおいて第１の固定片部７ｃ２と同じ側に向けて伸長する。
【００６１】
第１の固定片部７ｃ２と、第２の固定片部７ｃ３とは互いに平行になるように設けられている。そして、第１の固定片部７ｃ２と、第２の固定片部７ｃ３とがハウジング４のロックばね固定部４ｂ２を挟持し、第１の固定片部７ｃ２の突部７ｃ４がロックばね固定部４ｂ２に対して噛み込むことで、ロックばね７がハウジング４に対して確実に固定される。
【００６２】
第１の弾性腕７ｄは、ハウジング固定部７ｃに繋がって設けられる。本実施形態では特に基端部７ｃ１の上端から高さ方向Ｚに沿って上側に向けて伸長し、挿入状態における平型導体３に対して接離する方向で弾性変形する。第１の弾性腕７ｄは基端側から先端側に向けて板幅が短くなる。よって、基端側よりも先端側でより柔らかく弾性変形することができる。
【００６３】
第２の弾性腕７ｅは、第１の弾性腕７ｄの上側に繋がって設けられる。また、その板幅は、第１の弾性腕７ｄの先端側と略同じ長さでなる。第２の弾性腕７ｅは、本実施形態では特に高さ方向Ｚにおける下側かつ嵌合室４ｂの内側に向けて傾斜して伸長する。第２の弾性腕７ｅは、第１の弾性腕７ｄに対して接離する方向で弾性変形する。第２の弾性腕７ｅの上側の斜縁には、摺動接触部７ｇが形成されている。
【００６４】
係止片７ａは、第２の弾性腕７ｅの下端側に繋がって設けられ、第２の弾性腕７ｅによって弾性的に支持されている。係止片７ａはその下側の端面に平型導体３の板厚方向に沿う係止端部７ａ１を有しており、係止片７ａが平型導体３のロック部３ｃの内側に入り込んで、係止端部７ａ１がロック部３ｃの係止縁３ｅに係止することで、平型導体３をハウジング４に抜け止めする。
【００６５】
位置決め部７ｆは、第１の弾性腕７ｄに繋がって設けられる。位置決め部７ｆは第１の弾性腕７ｄの上端から上側に向けて伸長する突状部でなる。
【００６６】
ロックばね７は、複数配列される端子５の端子列５Ａの両端側に１つずつ設けられる。よってコネクタ１が備える端子５の数や、ハウジング４の幅方向Ｘにおける長さが変更された場合であっても同じロックばね７を使用することができるため、端子５の数が異なるバリエーションのコネクタ１を容易に製造することができる。
【００６７】
〔ロック解除部材〕
ロック解除部材８は、連結部８ｂと、第１の押圧操作面８ｃと、第２の押圧操作面８ｅと、スライダー部８ａとを有する。ロック解除部材８は、上面がハウジング４の天面壁４ｅよりも上側に突出して設けられている。
【００６８】
連結部８ｂは、幅方向Ｘに沿う棒状に設けられる。また、前後方向Ｙにおける前側であって、正面壁４ｇの上側に配置されている。連結部８ｂは、幅方向Ｘにおける両端側に溝状の挿通部８ｄを１つずつ有する。挿通部８ｄの内側にはロックばね７の位置決め部７ｆが１つずつ配置されており、ロックばね７がロック解除部材８に対して位置ずれしないようになっている。また、挿通部８ｄの内側であって、下端側に設けられる押圧部８ｄ１がロックばね７の摺動接触部７ｇを押圧しつつ、摺動接触部７ｇの上を滑るように摺動して移動することができる。
【００６９】
第１の押圧操作面８ｃと第２の押圧操作面８ｅは、連結部８ｂにおいて幅方向Ｘにおける両端側にそれぞれ配置される。特に本実施形態では、挿入口４ａの両側に配置される。このように配置することで、押圧操作面８ｃ，８ｅを前後方向Ｙに向けて突出させずに設けることができるため、コネクタ１を前後方向Ｙで小型化することができる。また、こうした配置とすることで、押圧操作する指をハウジング４の上面とできるだけ干渉させずに押圧操作面８ｃ，８ｅに対して接触し易くすることができ、押圧操作を確実に行うことができる。さらに、上記のようにロック解除部材８の上面がハウジング４の天面壁４ｅよりも上側に突出しており、押圧操作面８ｃ，８ｅもまた、天面壁４ｅよりも上側に突出している。そのため、作業者が押圧しやすい押圧操作面８ｃ，８ｅとなっている。こうした押圧操作面８ｃ，８ｅは平坦面でなる。よって、自動実装時においては吸着面とすることができる。
【００７０】
スライダー部８ａは、連結部８ｂの幅方向Ｘにおける両端側であって、押圧操作面８ｃ，８ｅの下側から高さ方向Ｚに沿って下側に向けて伸長する長片部でなる。その先端にはハウジング４に対する係止部８ａ１が設けられており、ハウジング４の線状凹部４ｄ１に設けられる突状部４ｄ３に対して係止する。
【００７１】
ロック解除部材８は、押圧部８ｄ１に対してロックばね７の摺動接触部７ｇが下側から接触した状態で、ロックばね７によって支持されている（図１５参照）。
【００７２】
本実施形態ではロック解除部材８をハウジング４とは別体として設けている。よって、成形金型をより単純にすることができるため、製造が容易である。また、例えばロック解除部材８とハウジング４とを異なる色に塗り分けることで、作業者にとって視覚的にロック解除部材８とハウジング４を見分けやすくすることができる。さらに、ハウジング４に対して可動するロック解除部材８を一体とすると、その連結部分がもろく破断しやすくなるが、それらを別体とすることで、より壊れにくくすることができる。
【００７３】
〔平型導体〕
本実施形態におけるコネクタ１の接続対象物である平型導体３の構成について説明する。図１４で示すように、平型導体３は、導電部３ａと、絶縁層３ｂと、ロック部３ｃとを有する。
【００７４】
導電部３ａは導電性の金属薄板でなり、絶縁層３ｂによって表裏両面を覆われている。ハウジング４への挿入端となる先端部３ｆの側では、導電部３ａが絶縁層３ｂから外部に露出し、この露出部分でコネクタ１の端子５と導通接触する。本実施形態では端子５が導電部３ａに対して一面側から接触するため、導電部３ａは一面側のみが絶縁層３ｂから露出する。
【００７５】
絶縁層３ｂは、絶縁被覆でなり、上述のように導電部３ａの表裏両面に積層されて形成される。
【００７６】
ロック部３ｃは、図１４で示すように、平型導体３の挿入方向に沿う両側の側縁部３ｄ，３ｄにおいて先端部３ｆ側に１つずつ設けられる凹部でなる。ロック部３ｃは、平型導体３の側縁部３ｄを凹状に切り欠いた切欠部として形成したものである。また、ロック部３ｃは平型導体３の幅方向Ｘに沿う板縁でなる係止縁３ｅを有する。この係止縁３ｅには、ロックばね７の係止片７ａが係止する。ロック部３ｃは、本実施形態では凹部でなるが、係止片７ａが係止できる貫通形状であれば、例えば貫通孔とすることもできる。
【００７７】
〔平型導体の嵌合方法の説明〕
次に、コネクタ１の使用方法について説明する。
【００７８】
まず、図１５，図１６で示すように、平型導体３を挿入口４ａから嵌合室４ｂに挿入する。平型導体３の先端部３ｆは、まずロックばね７の係止片７ａに接触して押圧し、第１の弾性腕７ｄが前後方向Ｙにおいて平型導体３から離間する方向に回動するように弾性変形する。その際、第２の弾性腕７ｅもまた、平型導体３から離間する方向であって第１の弾性腕７ｄに近づく方向に弾性変形する。こうして係止片７ａが平型導体３から前後方向Ｙで平型導体３から離間する方向に変位して、平型導体３の先端が係止片７ａを乗り越える。その際、第１の弾性腕７ｄ及び第２の弾性腕７ｅには、係止片７ａが前後方向Ｙにおける平型導体３の側に戻るように復元力が働いている。そのため、平型導体３は係止片７ａによって内壁４ｂ１に対して押圧されており、この状態で平型導体３は嵌合室４ｂの内壁４ｂ１に沿いながらコネクタ１の嵌合室４ｂに挿入される。なお、第１の弾性腕７ｄは、ハウジング４に設けられる収容溝４ｇ１に収容されているため、幅方向Ｘでの変形は規制されている。
【００７９】
その後、ロックばね７の係止片７ａを弾性変位させた状態で、さらに平型導体３を嵌合室４ｂの奥側に向けて挿入すると、平型導体３の先端部３ｆは端子５の接触部５ｄに上側から接触し、接触部５ｄを前後方向Ｙにおいて端子５の基板接続部５ａから離間する方向に向けて弾性変位させる。こうして平型導体３の先端部３ｆは接点部５ｄ１を乗り越える。さらに接触部５ｄが平型導体３を内壁４ｂ１に対して押圧した状態で平型導体３の導電部３ａと端子５の接点部５ｄ１とが導通接触する。
【００８０】
〔平型導体の抜け止め構造〕
上記のように、平型導体３を嵌合室４ｂの奥まで挿入すると、平型導体３のロック部３ｃがロックばね７の係止片７ａに到達する。係止片７ａは第１の弾性腕７ｄと第２の弾性腕７ｅの復元力によって前後方向Ｙにおける平型導体３の側に向けて変位して、ロック部３ｃの内側に入り込む。この際、ロックばね７の係止片７ａに設けられる係止端部７ａ１の端面は、平型導体３の板厚方向、即ち、平型導体３の挿入方向に対して直交する方向に沿う状態となる。この状態で平型導体３が抜去方向に向けて引っ張られると、係止端部７ａ１がロック部３ｃの係止縁３ｅに当接係止することで、コネクタ１に対して平型導体３を抜け止めする（図１６）。これによりコネクタ１と平型導体３の接続状態を維持することができる。このように本実施形態のコネクタ１では、平型導体３をコネクタ１に挿入するという一つの動作だけで上記の抜け止めが可能となるため、嵌合作業が容易である。
【００８１】
また、本実施形態では平型導体３を嵌合室４ｂに挿入する際には、アクチュエータやスライダ等のガタが生じる可能性のある可動構造の部材に沿わせるのではなく、ハウジング４自体の嵌合室４ｂの内壁４ｂ１の面に平型導体３を沿わせて嵌合させるので、ガタの発生等の不安定要素の無い信頼性のある嵌合状態を維持することができる。
【００８２】
〔平型導体の抜去方法〕
基板２に対して直交する方向で平型導体３を挿入する縦置きタイプのコネクタでは、前後方向Ｙの長さに対して高さ方向Ｚの長さが長く高背である場合がある。そうした縦置きタイプのコネクタでは、基板２からの突出量が大きいため基板２に対して傾倒しやすい。よって、前後方向Ｙで強い力を受けると、コネクタが反対側に向けて倒れ込む場合がある。また、基板２上において他の実装部品が近接している場合には、ロック解除部材８の押圧操作面８ｃ，８ｅを前後方向Ｙで押圧するよりも高さ方向Ｚで押圧する方が、基板２の板面方向で広い空間を必要としないため、押圧作業を行いやすい。さらに、基板２に向けた押圧操作は作業者にとって感覚的に可能であるため、容易に作業を行うことができる。そこで、本実施形態では、ロック解除部材８を高さ方向Ｚに沿って基板２に向けて押圧することで、平型導体３のロック部３ｃに対する係止片７ａの係止の解除を可能としている。以下、平型導体３の抜去方法について具体的に説明する。
【００８３】
平型導体３を抜去する際には、ロック解除部材８の押圧操作面８ｃ，８ｅを矢示Ａのように上から押し下げるように押圧する（図１８，図１９）。これにより、ロック解除部材８の押圧部８ｄ１がロックばね７の第２の弾性腕７ｅに設けられる摺動接触部７ｇを押圧する。
【００８４】
摺動接触部７ｇは高さ方向Ｚに対して傾斜しているため、押圧操作力を、摺動接触部７ｇに押圧部８ｄ１を斜めに摺動接触させて、第１の弾性腕７ｄと第２の弾性腕７ｅを回動させる回転変位力へと、スムーズに転換させることができる。よって、ロック解除部材８の押圧部８ｄ１によって高さ方向Ｚにおける下側に向けた押圧操作力を受けた摺動接触部７ｇは、下側かつ前後方向Ｙにおいて平型導体３から離間する方向（本実施形態では前側）に向けて回動変位する。第１の弾性腕７ｄがハウジング固定部７ｃの、特に基端部７ｃ１を回動支点として倒れ込むように回動する。また、第１の弾性腕７ｄの先端側に繋がる第２の弾性腕７ｅも第１の弾性腕７ｄと連動して同じ方向に向けて回動する。そして、ロック解除部材８の押圧部８ｄ１は摺動接触部７ｇの上を滑るように摺動接触する。こうして係止片７ａが平型導体３のロック部３ｃから抜けて、平型導体３に対するロックばね７の係止が解除される。この間に平型導体３をハウジング４の嵌合室４ｂから抜去する。その際、ロックばね７の位置決め部７ｆの先端はロック解除部材８の挿通部８ｄよりも上方に突出する。よって、作業者がロック解除部材８を十分に押圧したことを視覚的に確認することができる。
【００８５】
その後、ロック解除部材８の押圧操作面８ｃ，８ｅに対する押圧を止めると、ロックばね７の第１の弾性腕７ｄが押圧前の状態、すなわち高さ方向Ｚに沿う状態に復元しようとする。そして、第２の弾性腕７ｅも同様に高さ方向Ｚに対して傾斜した状態に復元しようとする。その際、ロック解除部材８は全体がロックばね７の摺動接触部７ｇによって持ち上げられるように高さ方向Ｚにおける上側に向けて変位する。
【００８６】
このように、本実施形態によれば、ロック解除部材８の押圧操作面８ｃ，８ｅを高さ方向Ｚにおける下側に向けて押圧することで、第１の弾性腕７ｄと、第２の弾性腕７ｅとが、ハウジング固定部７ｃの、特に基端部７ｃ１を回動支点として回動し、係止片７ａによる平型導体３の係止を解除できる。
【００８７】
なお、ロック解除部材８はスライダー部８ａを有しており、ハウジング４が有する線状凹部４ｄ１に入り込んでいる。そのため、スライダー部８ａが線状凹部４ｄ１の内側を高さ方向Ｚに沿って変位することで、ロック解除部材８も同様にスムーズに変位させることができる。こうしたスライダー部８ａや線状凹部４ｄ１を有することで、ロック解除部材８の操作をより容易に行うことができる。
【００８８】
また、上記のようにコネクタ１は、１つのロック解除部材８が複数のロックばね７を押圧することができる。よって、複数のロックばね７を異なるロック解除部材８が押圧する場合と比較して部品点数を減らすことができる。
【００８９】
以上のように、本実施形態のコネクタ１によれば、基板２上で他の実装部品が密集している場合であっても、平型導体３に対する係止を容易に解除することができる。そのため、他の実装部品と近接させて基板２に実装することができるため、基板２上の狭い空間を有効に活用することができる。
【００９０】
変形例：
前記本実施形態では、押圧操作面８ｃ，８ｅがロック解除部材８の幅方向Ｘにおける両端側にそれぞれ設けられる例を示した。これに対して、例えば幅方向Ｘにおいて連結部８ｂの中央側に１つだけ押圧操作面を有するものとすることができる。こうすることで、１つの押圧操作面を押圧することで、２つのロックばね７を操作するものとすることができる。
【００９１】
前記本実施形態では、挿通部８ｄが溝状でなる例を示した。これに対し、ロック解除部材８に設けられる貫通孔として設けても良い。この場合にも、押圧操作面８ｃ，８ｅを押圧されてロック解除部材８が押し込まれた状態で、挿通部に収容されている位置決め部７ｆの上端がロック解除部材８の上方に突出することで、作業者がロック解除部材８が十分に押し込まれたことを目視で確認することができる。
【符号の説明】
【００９２】
１      コネクタ
２      基板
３      平型導体
３ａ    導電部
３ｂ    絶縁層
３ｃ    ロック部
３ｄ    側縁部
３ｅ    係止縁
３ｆ    先端部
４      ハウジング
４ａ    挿入口
４ｂ    嵌合室
４ｂ１  内壁
４ｂ２  ロックばね固定部
４ｂ３  奥壁
４ｃ    端子収容部
４ｄ    スライダー固定部
４ｄ１  線状凹部
４ｄ２  スライダー挿入孔
４ｄ３  突状部
４ｄ４  補強部材固定部
４ｅ    天面壁
４ｆ    側壁部
４ｇ    正面壁
４ｇ１  収容溝
５      端子
５Ａ    端子列
５ａ    基板接続部
５ｂ    固定部
５ｃ    弾性片部
５ｄ    接触部
５ｄ１  接点部
６      補強部材
６ａ    基板固定部
６ｂ    補強板
７      ロックばね
７ａ    係止片
７ａ１  係止端部
７ｂ    基板固定部
７ｃ    ハウジング固定部
７ｃ１  基端部
７ｃ２  第１の固定片部
７ｃ３  第２の固定片部
７ｃ４  突部
７ｄ    第１の弾性腕
７ｅ    第２の弾性腕
７ｆ    位置決め部
７ｇ    摺動接触部
８      ロック解除部材
８ａ    スライダー部
８ａ１  係止部
８ｂ    連結部
８ｃ    第１の押圧操作面
８ｄ    挿通部
８ｄ１  押圧部
８ｅ    第２の押圧操作面
【図１】
0006689063.tif 000002
【図２】
0006689063.tif 000003
【図３】
0006689063.tif 000004
【図４】
0006689063.tif 000005
【図５】
0006689063.tif 000006
【図６】
0006689063.tif 000007
【図７】
0006689063.tif 000008
【図８】
0006689063.tif 000009
【図９】
0006689063.tif 000010
【図１０】
0006689063.tif 000011
【図１１】
0006689063.tif 000012
【図１２】
0006689063.tif 000013
【図１３】
0006689063.tif 000014
【図１４】
0006689063.tif 000015
【図１５】
0006689063.tif 000016
【図１６】
0006689063.tif 000017
【図１７】
0006689063.tif 000018
【図１８】
0006689063.tif 000019
【図１９】
0006689063.tif 000020